(57)【要約】【課題】必要に応じた個数の固形洗浄剤の取出しをきわめて容易に行える優れた固形洗浄剤包装容器を提供する。【解決手段】台紙と該台紙に対して取付けられるブリスターとを備え、台紙とブリスターとの間に固形洗浄剤を収納する収納空間を形成してなる固形洗浄剤包装容器において、前記収納空間は、複数の固形洗浄剤を連続して収納可能な連続収納空間とし、該連続収納空間の一端に対応する台紙の裏面に開閉可能な取出し口を備えたことを特徴とする固形洗浄剤包装容器等を解決手段とする。【選択図】  図１
0003118065.tif 000002
【実用新案登録請求の範囲】
【請求項１】
複数の固形洗浄剤を連続して収納する連続収納空間と、該連続収納空間の一端に開閉可能な取出し口とを備えたことを特徴とする固形洗浄剤包装容器。
【請求項２】
台紙と該台紙に対して取付けられるブリスターとを備え、台紙とブリスターとの間に固形洗浄剤を収納する収納空間を形成してなる固形洗浄剤包装容器において、
前記収納空間は、複数の固形洗浄剤を連続して収納可能な連続収納空間とし、該連続収納空間の一端に対応する台紙の裏面に開閉可能な取出し口を備えたことを特徴とする固形洗浄剤包装容器。
【請求項３】
台紙の裏面の取出し口は開口部と該開口部を閉塞する蓋部を備え、
該蓋部は、台紙の一部である第一蓋部と、第一蓋部よりも大きく且つ第一蓋部の裏面に繰返し着脱可能な接着部を介して設けられる第二蓋部とを備え、第一蓋部の周囲に形成される接着部には剥離紙を設けた構成とし、
台紙の裏面のうち第二蓋部の接着部に対応する位置に合成樹脂製のフィルムを設けたことを特徴とする請求項２記載の固形洗浄剤包装容器。
【請求項４】
ブリスターは正面視台紙外形輪郭から突出して延設する帯部を備え、該帯部の先端には第二蓋部を形成し、台紙の裏面の取出し口は開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けた構成とし、
台紙の裏面のうち第二蓋部の接着部に対応する位置に合成樹脂製のフィルムを設けたことを特徴とする請求項２記載の固形洗浄剤包装容器。
【請求項５】
台紙の裏面の取出し口は開口部と該開口部を閉塞する蓋部を備え、
該蓋部は、台紙の一部である第一蓋部と、第一蓋部よりも大きく且つ第一蓋部の裏面に繰返し着脱可能な接着部を介して設けられる第二蓋部とを備え、第一蓋部の周囲に形成される接着部には剥離紙を設けた構成とし、
台紙の裏面全体にコーティング層を設けたことを特徴とする請求項２記載の固形洗浄剤包装容器。
【請求項６】
ブリスターは正面視台紙外形輪郭から突出して延設する帯部を備え、該帯部の先端には第二蓋部を形成し、台紙の裏面の取出し口は開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けた構成とし、
台紙の裏面全体にコーティング層を設けたことを特徴とする請求項２記載の固形洗浄剤包装容器。
【請求項７】
第一蓋部は断面視縁部位置に突部を形成し、取出し口の開口部は前記第一蓋部の突部が嵌入することを特徴とする請求項３、４、５又は６記載の固形洗浄剤包装容器。
【請求項８】
第二蓋部は、接着部を有しない摘み部を一体として形成したことを特徴とする請求項３、４、５、６又は７記載の固形洗浄剤包装容器。
【請求項９】
台紙と該台紙に対して取付けられるブリスターとを備え、台紙とブリスターとの間に固形洗浄剤を収納する収納空間を形成してなる固形洗浄剤包装容器において、
前記収納空間は、複数の固形洗浄剤を連続して収納可能な連続収納空間とし、
前記ブリスターの一端に開閉可能な取出し口を備えたことを特徴とする固形洗浄剤包装容器。
【請求項１０】
取出し口は、開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けた構成としたことを特徴とする請求項９記載の固形洗浄剤包装容器。
【考案の詳細な説明】
【技術分野】
【０００１】
本考案は、複数の固形洗浄剤を収納する容器（以下、固形洗浄剤包装容器）に関する。
【背景技術】
【０００２】
従来、流し台やトイレ、洗面台、バスルーム、洗濯機等の水まわりで発生する悪臭やヌメリ等を除去するための固形洗浄剤（製錠化された塩素系洗浄剤）が公知である。このような洗浄剤は、種々の形状の固形洗浄剤包装容器に収納される。
【０００３】
上記固形洗浄剤包装容器としては、例えば、台紙と、該台紙の表面に対して取付けられるブリスターとを備え、前記ブリスターは、台紙との間に、複数の独立した収納部形成体とを備え、複数の固形洗浄剤を前記個別の収納空間内に収納する固形洗浄剤包装容器（例えば、特許文献１参照。）が公知である。尚、ブリスターとは、包装に適する合成樹脂製の成型部品である。
【０００４】
【特許文献１】意匠登録第１０２４３５４号公報
【考案の開示】
【考案が解決しようとする課題】
【０００５】
上記意匠登録に係る包装容器は、台紙の裏面側から開封して表面側から収納部を押し込んで固形洗浄剤を取り出すものである。このため、縦横に配列された個別の収納部をその都度剥がして使用する必要がある。即ち、予め各縦横に配列された収納部間のミシン目に沿って、一つずつ収納部を分離すると、使用の都度に裏面側の台紙を剥がさなくてはならないから、非常に面倒であった。
【０００６】
また、ミシン目に沿って収納部を分離させず、まとめて開封すると、使用しない分まで開封することがあり、使用しない固形洗浄剤を紛失する等の欠点があった。
【０００７】
更に、一般的にブリスターの縁部が一般的に鋭利で強度が高いためブリスターから台紙を剥がす際に指先や爪等を傷つける虞がある。このため、このような虞を解消する構成を兼備できれば、非常に都合がよい。
【０００８】
本考案は以上の事情に鑑みてなされたものであり、必要に応じた個数の固形洗浄剤の取出しをきわめて容易に行える優れた固形洗浄剤包装容器の提供を、考案が解決しようとする課題とする。
【課題を解決するための手段】
【０００９】
複数の固形洗浄剤を連続して収納する連続収納空間と、該連続収納空間の一端に開閉可能な取出し口とを備えたことを特徴とする固形洗浄剤包装容器、特に、台紙と該台紙に対して取付けられるブリスターとを備え、台紙とブリスターとの間に固形洗浄剤を収納する収納空間を形成してなる固形洗浄剤包装容器において、前記収納空間は、複数の固形洗浄剤を連続して収納可能な連続収納空間とし、該連続収納空間に対応する台紙の裏面に開閉可能な取出し口とを備えたことを特徴とする固形洗浄剤包装容器を、課題を解決するための手段とする。尚、本考案において、「連続収納空間の一端」とは、連続収納空間が直線状や湾曲形状の通路を形成するものである場合は、その端部をいう。また、連続収納空間が四角形等の多角形の場合、その縁部若しくは隅部をいう。更に、「台紙」とは紙製の台紙のみを示すものではなく、表面若しくは裏面にフィルムを備えたり、合成樹脂等が塗布されているもの等を含む趣旨である。
【考案の効果】
【００１０】
本考案によれば、複数の固形洗浄剤を連続して収納する連続収納空間と、該連続収納空間の一端に開閉可能な取出し口とを備えたことによって、当該一端に設けた取出し口の開閉のみを行うだけで、必要に応じた個数の固形洗浄剤の取出しを容易に行うことができる。
【００１１】
また請求項２に係る考案によれば、台紙と該台紙に対して取付けられるブリスターとを備え、台紙とブリスターとの間に固形洗浄剤を収納する収納空間を形成してなる固形洗浄剤包装容器において、前記収納空間は、複数の固形洗浄剤を連続して収納可能な連続収納空間とし、該連続収納空間に対応する台紙の裏面に開閉可能な取出し口とを備えた構成としたことから、連続収納空間の一端に設けた取出し口の開閉のみを行うだけで、必要に応じた個数の固形洗浄剤の取出しを容易に行うことができることに加え、取出し口が裏面側となり、陳列時の商品体裁をより向上することができる。
【００１２】
請求項３に係る考案によれば、上記請求項２の構成に加え、台紙の裏面の取出し口は開口部と該開口部を閉塞する蓋部を備え、該蓋部は、台紙の一部である第一蓋部と、第一蓋部よりも大きく且つ第一蓋部の裏面に繰返し着脱可能な接着部を介して設けられる第二蓋部とを備え、第一蓋部の周囲に形成される接着部には剥離紙を設けた構成とし、台紙の裏面のうち第二蓋部の接着部に対応する位置に合成樹脂製のフィルムを設けたことから、一旦開封した後は第二蓋部に取付けられた剥離紙を取り除くことで、第二蓋部の接着部とフィルムとを固着することができることから、蓋部の不慮の開口を防止し、固形洗浄剤の紛失等を阻止することができる。また、本請求項３に係る発明によれば、開封時にブリスターと台紙を引き剥がすのではなく、第二蓋部を台紙から剥がすことによって行うことから、指先や爪等を傷める虞がない。
【００１３】
請求項４に係る考案によれば、上記請求項２に係る考案の構成に加え、ブリスターは正面視台紙外形輪郭から突出して延設する帯部を備え、該帯部の先端には第二蓋部を形成し、台紙の裏面の取出し口は開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けた構成とし、台紙の裏面のうち第二蓋部の接着部に対応する位置に合成樹脂製のフィルムを設けたことから、一旦開封した後でも、第二蓋部の接着部とフィルムとを固着することができ、蓋部の不慮の開口を防止し、固形洗浄剤の紛失等を阻止することができる。また、請求項３に係る構成のような第二蓋部を形成する紙材を要しないことから、製造コストの低廉化を図ることができる。
【００１４】
請求項５に係る考案によれば、上記請求項２の構成に加えて、台紙の裏面の取出し口は開口部と該開口部を閉塞する蓋部を備え、該蓋部は、台紙の一部である第一蓋部と、第一蓋部よりも大きく且つ第一蓋部の裏面に繰返し着脱可能な接着部を介して設けられる第二蓋部とを備え、第一蓋部の周囲に形成される接着部には剥離紙を設けた構成とし、台紙の裏面全体にコーティング層を設けた構成としたことで、請求項３に係る考案と同様に、一旦開封した後は第二蓋部に取付けられた剥離紙を取り除くことで、第二蓋部の接着部とフィルムとを固着することができることから、蓋部の不慮の開口を防止し、固形洗浄剤の紛失等を阻止することができる。また、台紙にコーティング層を塗布することで、ブリスターと異なり、台紙の柔軟性を損なうことが無いことから、開封時に指先や爪等を傷める虞がない。
【００１５】
請求項６に係る考案によれば、上記請求項２の構成に加えて、ブリスターは正面視台紙外形輪郭から突出して延設する帯部を備え、該帯部の先端には第二蓋部を形成し、台紙の裏面の取出し口は開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けた構成とし、台紙の裏面全体にコーティング層を設けたことから、請求項４に係る考案と同様に、一旦開封した後でも、第二蓋部の接着部とフィルムとを固着することができ、蓋部の不慮の開口を防止し、固形洗浄剤の紛失等を阻止することができる。また、請求項３、５に係る構成のような第二蓋部を形成する紙材を要しないことから、製造コストの低廉化を図ることができる。
【００１６】
請求項７に係る考案によれば、請求項３乃至請求項６の構成に加えて、第一蓋部は断面視縁部中央位置に突部を形成し、取出し口の開口部は前記第一蓋部の突部が嵌入する凹部を備えた構成を備えることにより、第二蓋部の接着部とフィルムとの接着力が低減しても、当該凸部と凹部との係合によって、確実に閉塞状態を維持することができる。
【００１７】
請求項８に係る考案によれば、上記請求項３乃至請求項７に係る考案に対して、接着部を有しない摘み部を一体として形成した第二蓋部を付加した構成とすることによって、摘み部が台紙の裏面側に密着しないことから、開封操作をより容易とすることができる。特に、請求項４に係る考案に適用することにより、ブリスターを剥がす開閉操作を行う際でも、摘み部を容易に摘んで開封できることから、指先や爪等を傷める虞を解消することができる。
【００１８】
請求項９に係る考案によれば、台紙と該台紙に対して取付けられるブリスターとを備え、台紙とブリスターとの間に固形洗浄剤を収納する収納空間を形成してなる固形洗浄剤包装容器において、前記収納空間は、複数の固形洗浄剤を連続して収納可能な連続収納空間とし、前記ブリスターの一端に開閉可能な取出し口を備えた構成としたことによって、当該一端に設けた取出し口の開閉のみを行うだけで、必要に応じた個数の固形洗浄剤の取出しを非常に容易に行うことができる。そして、ブリスターに取付けられた第二蓋部を剥がす際には、ブリスターの縁部に指が接触することがないことから、指先や爪等を傷つける虞がない。
【００１９】
請求項１０に係る考案によれば、請求項７の構成に加えて、取出し口は、開口部と該開口部を閉塞する蓋部を備え、該蓋部は台紙の一部である第一蓋部と前記第二蓋部を繰返し着脱可能な接着部を介して重ね、第一蓋部の周囲に形成した接着部には剥離紙を設けたことから、請求項３乃至請求項６に係る発明と同様に、一旦開封した後でも、第二蓋部の接着部とフィルムとを固着することができることから、蓋部の不慮の開口を防止し、固形洗浄剤の紛失等を阻止することができる。
【考案を実施するための最良の形態】
【００２０】
本考案は、台紙と該台紙に対して取付けられるブリスターとを備え、台紙とブリスターとの間に固形洗浄剤を収納する収納空間を形成してなる固形洗浄剤包装容器において、前記収納空間は、複数の固形洗浄剤を連続して収納可能な連続収納空間とし、該連続収納空間の一端に対応する台紙の裏面に開閉可能な取出し口を備え、該取出し口は開口部と該開口部を閉塞する蓋部を備え、該蓋部は、台紙の一部である第一蓋部と、第一蓋部よりも大きく且つ第一蓋部の裏面に繰返し着脱可能な接着部を介して設けられる第二蓋部とを備え、第一蓋部の周囲に形成される接着部には剥離紙を設けた構成とし、台紙の裏面のうち第二蓋部の接着部に対応する位置に合成樹脂製のフィルムを設けたことから、当該一端に設けた取出し口の開閉のみを行うだけで、必要に応じた個数の固形洗浄剤の取出しを非常に容易に行うことができ、一旦開封した後でも、第二蓋部の接着部とフィルムとを固着することができ蓋部の不慮の開口を防止し、更に、開封時にブリスターと台紙を引き剥がすのではなく、第二蓋部を台紙から剥がすことによって行うことから、指先や爪等を傷める虞がない固形洗浄剤包装容器を実現した。
【実施例】
【００２１】
（実施例１）
図１は本考案の実施例１に係る固形洗浄剤包装容器の正面図、図２は同実施例１に係る固形洗浄剤包装容器の背面図、図３は同実施例１に係る固形洗浄剤包装容器の右側面図、図４は同実施例１に係る固形洗浄剤包装容器の開封状態を示す正面図、図５は同実施例１に係る固形洗浄剤包装容器の開封状態を示す背面図、図６は同実施例１に係る固形洗浄剤包装容器のＡ−Ａ断面図、図７は固形洗浄剤を収納した状態を示す説明図、図８は固形洗浄剤包装容器の台紙と第一蓋部との関係を示すＢ−Ｂ拡大断面図及びその一部拡大図である。
【００２２】
本考案の実施例１に係る固形洗浄剤包装容器５は、図１乃至図６に示すように、紙製の台紙１の表面にブリスター２を溶着してなる基本構成に、本考案の特徴とする開口部１０を備えたものである。以下各構成について説明する。
【００２３】
実施例１に係るブリスター２は、図７に示すように、複数の固形洗浄剤６を連続して収納する連続収納空間２２を形成する湾曲した通路を形成している。尚、本実施例１におけるブリスターは無色透明である。
【００２４】
本実施例１に係る台紙１は、上部に商品陳列時に使用する掛止穴１６を備え、表面側には合成樹脂層を塗布形成したものである。また、取出し口７を形成する位置には、該取出し口７の開口部１２を形成するための切込み１３を設けてある。切込み１３は円弧形状とし、当該切込み１３を境界として内側が第一蓋部１１となる。切込み１３を形成することで第一蓋部１１の下端が台紙１と連結した状態を保つようにしている。
【００２５】
台紙１の裏面側には取出し口７よりも大きい範囲で、フィルム１０を設けている。前記切込み１３は台紙１とフィルム１０を併せて貫通している。
【００２６】
更に、フィルム１０の裏面側から前記切込み１３の輪郭よりも大きい輪郭で、紙製の第二蓋部３を設けている。第二蓋部３は、第一蓋部１１及びこれに当接するフィルム１０の一部と重なり、第二蓋部の縁部が第一蓋部１１及び前記フィルム１０の一部の周囲に食み出した構成としている。
第二蓋部３は表面側に接着部３０を設けており、接着部３０のうち縁部には剥離紙３１を設け、接着部３０の中央部は第一蓋部１１に対して固着している。
【００２７】
上記接着部３０は、取出し口７の閉塞状態において、剥離紙は使用時に剥がした上で、前記フィルム１０と第二蓋部３とを固着するために使用する。本実施例１に係る接着部３０は、３０回程度の着脱繰り返しに耐え得るものとしている。
【００２８】
切込み１３によって形成される第一蓋部１１の断面形状は、図８の拡大断面図に示すように、縁部位置に突部１４を形成している。これに伴い、取出し口７の開口部１２には前記第一蓋部１１の突部１４が嵌入する。
【００２９】
以上のように本実施例１に係る固形洗浄剤包装容器５の取出し部は、閉塞状態では、台紙１の裏面側に、フィルム１０、第二蓋部３が順次積層された構成である。切込み１３は台紙１とフィルム１０を連通している。
【００３０】
そして固形洗浄剤包装容器５の裏面側から摘み部２５を指で引張る開封操作によって、切込み１３から第一蓋部１１を離して開口部１２を形成する。第一蓋部１１と該第一蓋部１１に積層されたフィルム１０、及び第二蓋部３は一体となって蓋部４として機能する。
第一蓋部１１を切込み１３から離すことによって、取出し口７の開口部１２が形成されて、固形洗浄剤６が固形洗浄剤包装容器５から取出し可能となる。開口部１２の形成に伴い、フィルム１０には穴部１００が形成される。
【００３１】
次に、再び取出し口７を閉塞するには、第二蓋部３に設けられた接着部３０の剥離紙３１を除去し、接着部３０を直接台紙１の裏面に設けられたフィルム１０に対して固着する。
【００３２】
（実施例２）
図９は本考案の実施例２に係る固形洗浄剤包装容器５の正面図、図１０は同実施例２に係る固形洗浄剤包装容器５の背面図、図１１は同実施例２に係る固形洗浄剤包装容器５の右側面図、図１２は同実施例２に係る固形洗浄剤包装容器５の開封状態を示す正面図、図１３は同実施例２に係る固形洗浄剤包装容器５の開封状態を示す背面図、図１４は同実施例２に係る固形洗浄剤包装容器５のＣ−Ｃ断面図である。
【００３３】
本実施例２に係る固形洗浄剤包装容器５は、紙製の台紙１の表面にブリスター２を溶着してなる基本構成を備える点、及び開閉可能な取出し口７を備える点等で、実施例１に係る固形洗浄剤包装容器５と共通する。本実施例２に係る固形洗浄剤包装容器５は、主として、取出し口７の構成について実施例１と相違するものである。以下、本実施例２に係る固形洗浄剤包装容器５について説明する。
【００３４】
本実施例２に係る固形洗浄剤包装容器５におけるブリスター２は正面視台紙外形輪郭から突出して延設する帯部２１を備えている。そして該帯部２１の先端には開口部を閉塞するための第二蓋部２０を形成している。このため第二蓋部２０は合成樹脂製として形成される。第二蓋部２０には、第一蓋部１１の周縁に対向する表面に、接着部２３を設けている。接着部２３の表面には剥離紙２４を設けている。また、第二蓋部２０の一端には接着部２４を有しない摘み部２５を形成している。
【００３５】
一方、本実施例２における台紙１は、表面側に合成樹脂層を塗布形成したものであること、取出し口７の開口部１２を設けてあること、台紙１の裏面にフィルム１０を有する点において、実施例１に係る台紙１と共通する。本実施例２では、切込み１３を円形としてその内側となる第一蓋部１１は台紙１から切り離し、第二蓋部２０の中央部に接着している。また、第二蓋部２０は上記したように、ブリスター２の帯部２１に設けていることから、実施例１のように台紙１の裏面には紙製の第二蓋部２０は有しない。
【００３６】
以上の構成とした実施例２に係る固形洗浄剤包装容器５の裏面側から摘み部２５を指で引張る開封操作によって、取出し部７の開口部１２が形成され、固形洗浄剤６が固形洗浄剤包装容器５から取出し可能となる。実施例１と同様に、再び取出し口７を閉塞するには、第二蓋部２０に設けられた接着部２３の剥離紙２４を除去し、接着部２３を直接台紙１の裏面に設けられたフィルム１０に対して固着する。
【００３７】
（実施例３）
図１５は本考案の実施例３に係る固形洗浄剤包装容器の正面図、図１６は同実施例３に係る固形洗浄剤包装容器の背面図、図１７は同実施例３に係る固形洗浄剤包装容器のＤ−Ｄ断面図である。
【００３８】
本実施例３に係る固形洗浄剤包装容器５は、紙製の台紙１の表面にブリスター２を溶着してなる基本構成を備える点、及び開閉可能な取出し口７を備える点で、本考案の実施例１及び実施例２に係る固形洗浄剤包装容器５と共通する。
【００３９】
本実施例３に係る固形洗浄剤包装容器５は、正面側に配置されるブリスター２に取出し口７を備えるものである。本実施例に係るブリスター２は、図１５に示すように、収納空間が直方体形状をなすものである。取出し口７は、ブリスター２の正面側下部に設けている。
【００４０】
取出し口７は、ブリスター２に円弧状の切込み２７を形成して円弧に囲まれる内側を第一蓋部２８とし、切込み２７の輪郭よりも大きい輪郭で、紙製の第二蓋部３を設けている。第二蓋部３は、ブリスター２に接着してあり、結果的に第一蓋部２８と第二蓋部３が固着された構成である。また、前記第二蓋部３のうち、第一蓋部２８から食み出した位置、即ち第一蓋部２８の周縁に対向する表面に、接着部３０を設けている。接着部３０の表面には剥離紙３１を設けている。更に第二蓋部３の一端には接着部３０を有しない摘み部３２を形成している。
【００４１】
本実施例３においては、台紙１に対して取付け穴を形成せず、接着部３０は第二蓋部３と合成樹脂製のブリスター２とを接着する構成であることから、改めて合成樹脂製のフィルム１０を用いる必要がない。このため、製造コストの低廉化を図ることができる。そして、取出し口７は連続収納空間２２の端部若しくは隅部に設けることで、固形洗浄剤６を、収納空間内を移動させて容易に導出できる。
【００４２】
上記実施例においては、いずれも台紙１若しくはブリスター２に形成した切込み２７は円弧状としたが、本考案においては、これに限らず、例えば矩形状等とすることができる。
【００４３】
またブリスター２、台紙１の外形輪郭形状については特に限定するものではなく、種々の形状を使用することができる。例えば、実施例４として図１８及び図１９に示すように、ブリスターは、複数の固形洗浄剤６を連続して収納する連続収納空間２２を形成する湾曲した通路を形成し、その端部に取出し口を設けることもできる。前記取出し口は、ブリスターに、第二蓋部を取付けるための面と、開口部を形成し、開口部の形成によって得られる第一蓋部を第二蓋部の中央に固着し、第一蓋部の周囲に露呈する第二蓋部の表面に接着部及び剥離紙を設けた構成とすることができる。
【００４４】
更に、本考案においては、台紙１の裏面に接着手段３０を用いてフィルム１０を積層した構成については、実施例１及び実施例２の内容に限定するものではない。例えば、実施例５として図２０及び図２１に、実施例６として図２２及び図２３に夫々示すように、台紙1の裏面全体に直接ニス引き（表面コート）を行い、コーティング層１７を形成した構成とすることもできる。尚、実施例５に係る固形洗浄剤包装容器のコーティング層１７以外の構成は、実施例１に係る固形洗浄剤包装容器と同様である。また実施例６に係る固形洗浄剤包装容器５のコーティング層１７以外の構成は、実施例２に係る固形洗浄剤包装容器と同様である。
【図面の簡単な説明】
【００４５】
【図１】本考案の実施例１に係る固形洗浄剤包装容器の正面図である。
【図２】本考案の実施例１に係る固形洗浄剤包装容器の背面図である。
【図３】本考案の実施例１に係る固形洗浄剤包装容器の右側面図である。
【図４】本考案の実施例１に係る固形洗浄剤包装容器の開封状態を示す正面図である。
【図５】本考案の実施例１に係る固形洗浄剤包装容器の開封状態を示す背面図である。
【図６】本考案の実施例１に係る固形洗浄剤包装容器のＡ−Ａ断面図である。
【図７】本考案の実施例１に係る固形洗浄剤包装容器に固形洗浄剤を収納した状態を示す説明図である。
【図８】本考案の実施例１に係る固形洗浄剤包装容器の台紙と第一蓋部との関係を示すＢ−Ｂ拡大断面図及びその一部拡大図である。
【図９】本考案の実施例２に係る固形洗浄剤包装容器の正面図である。
【図１０】本考案の実施例２に係る固形洗浄剤包装容器の背面図である。
【図１１】本考案の実施例２に係る固形洗浄剤包装容器の右側面図である。
【図１２】本考案の実施例２に係る固形洗浄剤包装容器の開封状態を示す正面図である。
【図１３】本考案の実施例２に係る固形洗浄剤包装容器の開封状態を示す背面図である。
【図１４】本考案の実施例２に係る固形洗浄剤包装容器のＣ−Ｃ断面図である。
【図１５】本考案の実施例３に係る固形洗浄剤包装容器の正面図である。
【図１６】本考案の実施例３に係る固形洗浄剤包装容器の背面図である。
【図１７】本考案の実施例３に係る固形洗浄剤包装容器のＤ−Ｄ断面図である。
【図１８】本考案の実施例４に係る固形洗浄剤包装容器を示す正面図である。
【図１９】本考案の実施例４に係る固形洗浄剤包装容器の開封状態を示す正面図である。
【図２０】本考案の実施例５に係る固形洗浄剤包装容器を示す背面図である。
【図２１】本考案の実施例５に係る固形洗浄剤包装容器を示す右側面図である。
【図２２】本考案の実施例６に係る固形洗浄剤包装容器を示す背面図である。
【図２３】本考案の実施例６に係る固形洗浄剤包装容器を示す右側面図である。
【符号の説明】
【００４６】
１        台紙
１０      フィルム
１００    穴部
１１      第一蓋部（実施例１、実施例２）
１２      開口部（実施例１、実施例２）
１３      切込み（実施例１、実施例２）
１４      突部
１５      凹部
１６      掛止穴
１７      コーティング層
２        ブリスター
２０      第二蓋部（実施例２）
２１      帯部（実施例２）
２２      連続収納空間
２３      接着手段（実施例２）
２４      剥離紙（実施例２）
２５      摘み部（実施例２）
２６      開口部（実施例３）
２７      切込み（実施例３）
２８      第一蓋部（実施例３）
３        第二蓋部（実施例１、実施例３）
３０      接着手段（実施例１）
３１      剥離紙（実施例１）
３２      摘み部（実施例１）
３３      接着固定層（実施例１、実施例２、実施例３）
４        蓋部
５        固形洗浄剤包装容器
６        固形洗浄剤
７        取出し口
【図１】
0003118065.tif 000003
【図２】
0003118065.tif 000004
【図３】
0003118065.tif 000005
【図４】
0003118065.tif 000006
【図５】
0003118065.tif 000007
【図６】
0003118065.tif 000008
【図７】
0003118065.tif 000009
【図８】
0003118065.tif 000010
【図９】
0003118065.tif 000011
【図１０】
0003118065.tif 000012
【図１１】
0003118065.tif 000013
【図１２】
0003118065.tif 000014
【図１３】
0003118065.tif 000015
【図１４】
0003118065.tif 000016
【図１５】
0003118065.tif 000017
【図１６】
0003118065.tif 000018
【図１７】
0003118065.tif 000019
【図１８】
0003118065.tif 000020
【図１９】
0003118065.tif 000021
【図２０】
0003118065.tif 000022
【図２１】
0003118065.tif 000023
【図２２】
0003118065.tif 000024
【図２３】
0003118065.tif 000025